【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
潤滑粘度の油と、モノマー（ｉ）α−オレフィンおよびモノマー（ｉｉ）アルコールで部分エステル化されているエチレン性不飽和カルボン酸もしくはその誘導体（典型的には、カルボン酸基もしくは無水物）またはその混合物に由来する単位を含むコポリマーのジメルカプトチアジアゾール塩とを含む潤滑組成物であって、エステル化されていない少なくとも一部のカルボン酸基がアミンと反応し、
前記アミンが０ｍｇＫＯＨ／ｇより大きいＴＢＮ（総塩基価）をもたらし得るものであり、
前記ジメルカプトチアジアゾール塩が、式：
【化７】
2014500388.tif 000001
（式中、Ｒ１は、１〜５個、または１〜３個、または２個の炭素原子を含むアルキレン基であり；Ｒ２は、１〜１６個、または２〜８個、または４個の炭素原子を含むヒドロカルビル基であり；Ｙは、−Ｏ−または＞ＮＲ３であり（典型的には、Ｙは−Ｏ−である）；Ｒ３は水素またはＲ２である）
によって表される化合物から誘導され得るものである、潤滑組成物。
【請求項２】
前記α−オレフィンが鎖状もしくは分枝状のオレフィンまたはその混合物である、請求項１に記載の潤滑組成物。
【請求項３】
前記α−オレフィンが、１−デセン、１−ウンデセン、１−ドデセン、１−トリデセン、１−テトラデセン、１−ペンタデセン、１−ヘキサデセン、１−ヘプタデセン、１−オクタデセン、またはその混合物を含む、前記請求項１〜２のいずれかに記載の潤滑組成物。
【請求項４】
前記α−オレフィンが１−ドデセンである、前記請求項１〜２のいずれかに記載の潤滑組成物。
【請求項５】
前記エチレン性不飽和カルボン酸またはその誘導体が、無水イタコン酸、無水マレイン酸、メチルマレイン酸無水物、エチルマレイン酸無水物、ジメチルマレイン酸無水物またはその混合物を含む、請求項１に記載の潤滑組成物。
【請求項６】
前記エチレン性不飽和カルボン酸またはその誘導体が無水マレイン酸またはその誘導体である、前記請求項１〜５のいずれかに記載の潤滑組成物。
【請求項７】
前記α−オレフィンが１−ドデセンであり、前記（ｉｉ）不飽和カルボン酸またはその誘導体が無水マレイン酸である、前記請求項１〜６のいずれかに記載の潤滑組成物。
【請求項８】
前記コポリマーが、エステル化前に０．０８までの換算比粘度を有するものである、前記請求項１〜７のいずれかに記載の潤滑組成物。
【請求項９】
前記アルコールが、鎖状もしくは分枝状のアルコール、環式もしくは非環式のアルコール、またはこれらの特徴の組合せである、前記請求項１〜８のいずれかに記載の潤滑組成物。
【請求項１０】
前記アルコールが、少なくとも１２個（または少なくとも１６個、または少なくとも１８個または少なくとも２０個）の炭素原子を有する、β位またはそれより高次の位置で分枝状の第１級アルコールを含む、前記請求項１〜８のいずれかに記載の潤滑組成物。
【請求項１１】
前記アルコールが、（ｉ）ゲルベアルコールと、（ｉｉ）６〜２０個、または８〜１８個、または１０〜１５個の炭素原子を含む、ゲルベアルコール以外の鎖状アルコールとの混合物を含むものである、前記請求項１〜８のいずれかに記載の潤滑組成物。
【請求項１２】
前記アミンが、アミノ−ヒドロカルビルモルホリン（ｎ−アミノプロピルモルホリンなど）、アミノアルコール、ビニルピリジン、Ｎ−ビニルイミダゾール、ジアルキルアミノアルキル（メタ）アクリルアミドもしくはジアルキルアミノアルキル（メタ）アクリレート、Ｎ−置換アルカンジアミン（Ｎ，Ｎ−ジメチル−１，３−プロパンジアミンなど）、またはその混合物を含む、前記請求項１〜１１のいずれかに記載の潤滑組成物。
【請求項１３】
前記アミノアルコールが、ジメチルエタノールアミン、エタノールアミン、イソプロパノールアミン、ジエタノールアミン、トリエタノールアミン、Ｎ，Ｎ−ジエチルエタノールアミン、Ｎ，Ｎ−ジブチルエタノールアミン、３−アミノ−１，２−プロパンジオール、セリノール、２−アミノ−２−メチル−１，３−プロパンジオール、トリス（ヒドロキシメチル）−アミノメタン、ジイソプロパノールアミン、Ｎ−メチルジエタノールアミン、３−（ジメチルアミノ）−２，２−ジメチルプロパン−１−オール、および２−（２−アミノエチルアミノ）エタノールのうちの少なくとも１種類を含む、請求項１２に記載の潤滑組成物。
【請求項１４】
機械装置を潤滑する方法であって、該装置に前記請求項１〜１３のいずれかに記載の潤滑組成物を供給することを含む方法。
【請求項１５】
前記機械装置がマニュアルトランスミッション、ギア、またはアクスルなどの動力伝達装置である、請求項１４に記載の方法。
【請求項１６】
前記機械装置が、遊星ハブリダクションアクスル、ユーティリティービークルのメカニカルステアリングおよびトランスファーギアボックス、シンクロメッシュギアボックス、パワーテイクオフギア、リミテッドスリップアクスル、および遊星ハブリダクションギアボックスのうちの少なくとも１種類を含むものである、請求項１４に記載の方法。
【手続補正２】
【補正対象書類名】明細書
【補正対象項目名】００１９
【補正方法】変更
【補正の内容】
【００１９】
一実施形態において、本発明は、極圧性能ならびに金属腐食（特に、銅腐食）の低減および臭気の低減のうちの少なくとも１つ（または全部）を伴う潤滑剤組成物を提供するための本明細書に開示したコポリマーの使用を提供する。
一実施形態において、例えば、以下の項目が提供される。
（項目１）
潤滑粘度の油と、モノマー（ｉ）α−オレフィンおよびモノマー（ｉｉ）アルコールで部分エステル化されているエチレン性不飽和カルボン酸もしくはその誘導体（典型的には、カルボン酸基もしくは無水物）またはその混合物に由来する単位を含むコポリマーのジメルカプトチアジアゾール塩とを含む潤滑組成物であって、エステル化されていない少なくとも一部のカルボン酸基がアミンと反応する、潤滑組成物。
（項目２）
前記α−オレフィンが鎖状もしくは分枝状のオレフィンまたはその混合物である、項目１に記載の潤滑組成物。
（項目３）
前記α−オレフィンが、１−デセン、１−ウンデセン、１−ドデセン、１−トリデセン、１−テトラデセン、１−ペンタデセン、１−ヘキサデセン、１−ヘプタデセン  １−オクタデセン、またはその混合物を含む、前記項目１〜２のいずれかに記載の潤滑組成物。
（項目４）
前記α−オレフィンが１−ドデセンである、前記項目１〜２のいずれかに記載の潤滑組成物。
（項目５）
前記エチレン性不飽和カルボン酸またはその誘導体が、無水イタコン酸、無水マレイン酸、メチルマレイン酸無水物、エチルマレイン酸無水物、ジメチルマレイン酸無水物またはその混合物を含む、項目１に記載の潤滑組成物。
（項目６）
前記エチレン性不飽和カルボン酸またはその誘導体が無水マレイン酸またはその誘導体である、前記項目１〜５のいずれかに記載の潤滑組成物。
（項目７）
前記α−オレフィンが１−ドデセンであり、前記（ｉｉ）不飽和カルボン酸またはその誘導体が無水マレイン酸である、前記項目１〜６のいずれかに記載の潤滑組成物。
（項目８）
前記コポリマーが、エステル化前に０．０８までの換算比粘度を有するものである、前記項目１〜７のいずれかに記載の潤滑組成物。
（項目９）
前記アルコールが、鎖状もしくは分枝状のアルコール、環式もしくは非環式のアルコール、またはこれらの特徴の組合せである、前記項目１〜８のいずれかに記載の潤滑組成物。
（項目１０）
前記アルコールが、少なくとも１２個（または少なくとも１６個、または少なくとも１８個または少なくとも２０個）の炭素原子を有する、β位またはそれより高次の位置で分枝状の第１級アルコールを含み、前記項目１〜８のいずれかに記載の潤滑組成物。
（項目１１）
前記アルコールが、（ｉ）ゲルベアルコールと、（ｉｉ）６〜２０個、または８〜１８個、または１０〜１５個の炭素原子を含む、ゲルベアルコール以外の鎖状アルコールとの混合物を含むものである、前記項目１〜８のいずれかに記載の潤滑組成物。
（項目１２）
前記アミンが０ｍｇＫＯＨ／ｇより大きいＴＢＮ（総塩基価）をもたらし得るものである、前記項目１〜１１のいずれかに記載の潤滑組成物。
（項目１３）
前記アミンが、アミノ−ヒドロカルビルモルホリン（ｎ−アミノプロピルモルホリンなど）、アミノアルコール、ビニルピリジン、Ｎ−ビニルイミダゾール、ジアルキルアミノアルキル（メタ）アクリルアミドもしくはジアルキルアミノアルキル（メタ）アクリレート、Ｎ−置換アルカンジアミン（Ｎ，Ｎ−メチル−１，３−プロパンジアミンなど）、またはその混合物を含む、前記項目１〜１１のいずれかに記載の潤滑組成物。
（項目１４）
前記アミノアルコールが、ジメチルエタノールアミン、エタノールアミン、イソプロパノールアミン、ジエタノールアミン、トリエタノールアミン、Ｎ，Ｎ−ジエチルエタノールアミン、Ｎ，Ｎ−ジブチルエタノールアミン、３−アミノ−１，２−プロパンジオール、セリノール、２−アミノ−２−メチル−１，３−プロパンジオール、トリス（ヒドロキシメチル）−アミノメタン、ジイソプロパノールアミン、Ｎ−メチルジエタノールアミン、３−（ジメチルアミノ）−２，２−ジメチルプロパン−１−オール、および２−（２−アミノエチルアミノ）エタノールのうちの少なくとも１種類を含む、項目１３に記載の潤滑組成物。
（項目１５）
前記ジメルカプトチアジアゾール塩が、２，５−ジメルカプト−１，３，４−チアジアゾールもしくはヒドロカルビル置換２，５−ジメルカプト−１，３，４−チアジアゾールまたはそのオリゴマーから誘導され得るものである、前記項目１〜１４のいずれかに記載の潤滑組成物。
（項目１６）
前記ジメルカプトチアジアゾール塩が、式：
【化７】
2014500388.tif 000002
（式中、Ｒ１は、１〜５個、または１〜３個、または２個の炭素原子を含むアルキレン基であり；Ｒ２は、１〜１６個、または２〜８個、または４個の炭素原子を含むヒドロカルビル基であり；Ｙは、−Ｏ−または＞ＮＲ３であり（典型的には、Ｙは−Ｏ−である）；Ｒ３は水素またはＲ２である）
によって表される化合物から誘導され得るものである、項目１５に記載の潤滑組成物。
（項目１７）
前記ヒドロカルビル置換２，５−ジメルカプト−１，３，４−チアジアゾールが、２，５−（ｔｅｒｔ−オクチルジチオ）−１，３，４−チアジアゾール  ２，５−（ｔｅｒｔ−ノニルジチオ）−１，３，４−チアジアゾール、２，５−（ｔｅｒｔ−デシルジチオ）−１，３，４−チアジアゾール、２，５−（ｔｅｒｔ−ウンデシルジチオ）−１，３，４−チアジアゾール、２，５−（ｔｅｒｔ−ドデシルジチオ）−１，３，４−チアジアゾール、２，５−（ｔｅｒｔ−トリデシルジチオ）−１，３，４−チアジアゾール、２，５−（ｔｅｒｔ−テトラデシルジチオ）−１，３，４−チアジアゾール、２，５−（ｔｅｒｔ−ペンタデシルジチオ）−１，３，４−チアジアゾール、２，５−（ｔｅｒｔ−ヘキサデシルジチオ）−１，３，４−チアジアゾール、２，５−（ｔｅｒｔ−ヘプタデシルジチオ）−１，３，４−チアジアゾール、２，５−（ｔｅｒｔ−オクタデシルジチオ）−１，３，４−チアジアゾール、２，５−（ｔｅｒｔ−ノナデシルジチオ）−１，３，４−チアジアゾールもしくは２，５−（ｔｅｒｔ−エイコシルジチオ）−１，３，４−チアジアゾール、またはそのオリゴマーのうちの少なくとも１種類を含むものである、項目１５に記載の潤滑組成物。
（項目１８）
機械装置を潤滑する方法であって、該装置に前記項目１〜１７のいずれかに記載の潤滑組成物を供給することを含む方法。
（項目１９）
前記機械装置がマニュアルトランスミッション、ギア、またはアクスルなどの動力伝達装置である、項目１８に記載の方法。
（項目２０）
前記機械装置が、遊星ハブリダクションアクスル、ユーティリティービークルのメカニカルステアリングおよびトランスファーギアボックス、シンクロメッシュギアボックス、パワーテイクオフギア、リミテッドスリップアクスル、および遊星ハブリダクションギアボックスのうちの少なくとも１種類を含むものである、項目１８に記載の方法。